(57)【特許請求の範囲】
【請求項１】
ピットを予め形成して情報が記録されている領域と、グルーブに情報をマークの形で記録する領域とが、１本のトラックをなしている光ディスクに光ビームを照射し、その反射光に基づき光ビームのトラッキング制御を行う光ディスク装置であって、
上記ピットおよびマークから得られるタンジェンシャルプッシュプル信号に基づいて光ビームが照射されている領域を判別し、それに応じてトラッキング制御の極性を反転させ、上記ピット領域とマーク領域とを途切れることなく連続してトラッキングすることを特徴とする光ディスク装置。
【発明の詳細な説明】
【０００１】
【発明の属する技術分野】
本発明は、記録面の全面あるいは一部に、ピットや記録マークやグルーブもしくはランドによってトラックが形成された光ディスクを用いる光ディスク装置に係り、特に、光ディスク装置におけるトラッキング制御にかかわる技術に関するものである。
【０００２】
【従来の技術】
ＣＤやＤＶＤに代表される光ディスクの記録再生装置では、ＤＰＤ（位相差）法やプッシュプル法と呼ばれるトラッキング制御手法を用いて、螺旋状に形成されたトラックを光ビームがトラッキングする。ピットやマークにより形成されたトラック上を光ビームがトラッキングすることで、記録されている情報が反射光に反映され、情報の再生が行われる。また、グルーブやランドで形成されたトラック上を光ビームがトラッキングし、入射光量が変調されることで、マークが記録される。
【０００３】
現在、市場に出回っているＣＤ（ＣＤ−ＲＯＭ、ＣＤ−Ｒ、ＣＤ−ＲＷ等）やＤＶＤ（ＤＶＤ−ＲＯＭ、ＤＶＤ−Ｒ、ＤＶＤ−ＲＷ等）に代表される光ディスクは、近赤外領域から赤色領域のレーザー光が用いられている。ＣＤでは、７８０〜８３０ｎｍ程度のレーザー波長が用いられ、ＣＤの７倍以上の記録密度を持つＤＶＤでは、６５０ｎｍ程度のレーザー波長が用いられる。そして、記録密度を更に向上した光ディスクでは、青色レーザーが用いられることになる。
【０００４】
各々の光ディスクは、各々の光ディスクに用いられるレーザー波長に合わせた設計がなされており、特に、記録密度は、レーザー波長に大きく支配される光ビームのスポット径に合わせて設計されている。そのため、大きなスポット径になるＣＤ用の７８０〜８３０ｎｍ波長のレーザーでは、ＤＶＤや青色レーザー用光ディスクを読み取ることができず、ＤＶＤ用の６５０ｎｍ波長のレーザーでは、青色レーザー用光ディスクを読み取ることができない。その逆に、ＤＶＤ用レーザーでは、ＣＤもＤＶＤも読み取ることが可能であり、青色レーザーでは、ＣＤ、ＤＶＤ、青色レーザー用光ディスクを読み取ることが原理的に可能である。これは、前述したように、より短い波長を持つレーザーを用いると、より小さな光ビームスポットを実現できるため、記録密度の小さな光ディスクを再生するのに十分な分解能を得ることができるからである。実際、ＤＶＤ装置では６５０ｎｍ波長のレーザー光を用いて、７８０〜８３０ｎｍ波長のレーザー光用に設計されたＣＤ−ＲＯＭを再生している。
【０００５】
【発明が解決しようとする課題】
しかしながら、青色レーザーをもつ光ディスク装置で、プッシュプル法を用いてＣＤやＤＶＤを再生しようとした場合、ＣＤやＤＶＤに形成されたトラック上をうまくトレースできず、結果、ＣＤやＤＶＤを青色レーザーで再生できない、という問題があった。特に、ピットで形成されるＲＯＭ領域と、グルーブやランドで形成される記録可能領域とをもつ、ＣＤやＤＶＤ（いわゆるパーシャルＲＯＭディスク）では、ＲＯＭ領域と記録可能領域とで、トラックエラー信号が連続せず、トラック外れを生じてしまうという問題があった。
【０００６】
本発明は上記の点に鑑みなされたもので、その目的とするところは、青色レーザーを用いた光ディスク装置においても、赤色レーザーや近赤外レーザー用に設計された光ディスクを正しくトラッキングし、その再生を可能とする技術を提供することにある。
【０００７】
【課題を解決するための手段】
本発明は上記した目的を達成するため、ピットを予め形成して情報が記録されている領域と、グルーブに情報をマークの形で記録する領域とが、１本のトラックをなしている光ディスクに光ビームを照射し、その反射光に基づき光ビームのトラッキング制御を行う光ディスク装置において、上記ピットおよびマークから得られるタンジェンシャルプッシュプル信号に基づいて光ビームが照射されている領域を判別し、それに応じてトラッキング制御の極性を反転させ、上記ピット領域とマーク領域とを途切れることなく連続してトラッキングするように、構成される。
【００１４】
【発明の実施の形態】
以下、本発明の実施の形態を説明する。まず、本発明の各実施形態の説明に先立ち、光ディスクのトラッキング制御に用いられている、トラッキングサーボ信号を得るためのプッシュプル法について説明する。
【００１５】
プッシュプル法は、トラック接線方向に沿った方向に分割された反射光ビームの内周側と外周側の光量差を求め、これをトラッキング信号とする方法であり、図１２は、プッシュプル法によりトラッキングサーボ信号を生成するためのブロック構成図の例を示している。図１２において、１は光ビーム、２はフォトディテクタ、３−１、３−２は加算回路、１７は差分回路、１８はＬＰＦ（ローパスフィルター）である。
【００１６】
光ビームをピット列上に照射すると両者の位置関係により、その反射光はピットにより回折を受けるが、プッシュプル法では、その反射光を光ディスクの内周側と外周側各々の方向で２分して検出し、その平均的な強度に基づいてトラッキングサーボ信号を生成する。
【００１７】
加算回路３−１、３−２は、フォトディテクタ２の内周側と外周側に位置する素子それぞれの出力信号を加算して、その加算結果を差分回路１７に出力する。差分回路１７は、これら加算回路３−１、３−２からの２つの信号の差分結果をＬＰＦ１８に出力し、その差分結果から個々のピットが有する高周波の成分を除去して低域成分、言い換えれば光ビームとピット列のやや平均的なずれに相当する信号成分を抽出したものを、トラッキングサーボ信号として得るのがプッシュプル法の原理である。
【００１８】
上述の内容が、プッシュプル法によるトラッキングサーボ信号生成の原理であるが、プッシュプル信号は、図１３に示すように、ビーム進行方向に対して、前方に位置している素子ａとｄの出力差からも得ることが可能である。なお、図には示していないが、同様に、ビーム進行方向に対して、後方に位置している素子ｂとｃの出力差からも得ることができる。このように２素子からプッシュプル信号を得た場合、加算回路（加算アンプ）３−１、３−２を省略することができ、コストダウンが可能である。
【００１９】
＜第１実施形態＞
図１は、本発明の第１実施形態に係る光ディスク装置における、トラッキングサーボ信号を生成するための回路構成を示すブロック図である。図１において、１は光ビーム、２はフォトディテクタ、３−１、３−２は加算回路、１６はスイッチ、１７は差分回路、１８はＬＰＦである。
【００２０】
本実施形態を含め本発明の各実施形態では、上述したプッシュプル法によりトラッキングサーボ信号の生成を行なっており、再生する光ディスクの種別によって、トラッキング制御（プッシュプルトラッキング）の極性を切り換えるようになっている。
【００２１】
図示せぬコントローラーより、トラッキング制御の極性を反転させるか否かがスイッチ１６に入力される。波長４１０ｎｍ用に設計されたディスク「１」を再生する際には、コントローラーより“Ｎｏｒｍａｌ”が出力され、スイッチはＲ側に倒れる。このときのトラッキング制御の極性は、図１２に示した従来例の装置と同じであり、これにより、ディスク「１」のトラッキングを正確に行なうことができる。波長６５０ｎｍ用に設計されたディスク「２」を再生する際には、コントローラーより“Ｉｎｖ”が出力され、スイッチ１６はＬ側に倒れる。このときのトラッキング制御の極性は、図１２に示した従来例の装置と逆になり、これにより、ディスク「２」のトラッキングを正確に行なうことができる。
【００２２】
コントローラーから、“Ｎｏｒｍａｌ”もしくは“Ｉｎｖ”のどちらの信号を入力するかを決めるには、コントローラーがディスクの種類（ディスク「１」ｏｒディスク「２」）を知る必要がある。これには、ユーザー自身がディスク種類をコントローラーに入力できるように、ディスク種類選択スイッチを装置に設けておいても良いし、ディスク再生前に、各々のディスクがもつ特性を利用して、装置自身がディスク種類を自動的に判別するようにしておいても良い。
【００２３】
装置自身がディスク「１」、ディスク「２」を自動的に判別する手法の１例を、図２を用いて説明する。
【００２４】
まず、ディスク（光ディスク）が本実施形態の光ディスク装置に挿入されると、装置は、コントローラーより“Ｎｏｒｍ”を出力して、トラッキングを行い（ステップＳ１）、ＲＦ信号を再生できるか否かを判定する（ステップＳ２）。ＲＦ信号を再生できた場合（ステップＳ２でＹＥＳの場合）、挿入されたディスクは、４１０ｎｍ用に設計されたディスク「１」と判定する（ステップＳ３）。ＲＦ信号を再生できるか否かの判別には、種々の方法が考えられるが、ここでは、ある基準レベルより大きなＲＦ信号振幅が得られるか否かで判定することにしている。
【００２５】
ＲＦ信号を再生できなかった場合（ステップＳ２でＮＯの場合）、コントローラーより“Ｉｎｖ”を出力し、トラッキング制御の極性を切り換えてトラッキングを行ない（ステップＳ４）、ＲＦ信号を再生できるか否かを判定する（ステップＳ５）。ここで、ＲＦ信号が再生できれば（ステップＳ５でＹＥＳなら）、挿入されたディスクは、６５０ｎｍ用に設計されたディスク「２」と判定する（ステップＳ６）。ＲＦ信号を再生できなければ（ステップＳ５でＮＯなら）、挿入されたディスクは、ディスク「１」でもディスク「２」でもない第３のディスクであると判別される（ステップＳ７）。ディスク「１」もしくはディスク「２」と判別された場合は、それぞれに適する極性でトラッキングを行なえばよく、第３のディスクと判別された場合は、必要に応じて、ディスクを装置から排出したり、再生不可能なディスクである旨を、装置に備えられたディスプレイに表示したり、警告音を発することで、ユーザーに伝えれば良い。
【００２６】
＜比較例１＞
本比較例で用いた光ディスク再生装置は、波長４１０ｎｍのレーザー光とＮＡ０．６の対物レンズからなる光学系を用いた光ピックアップを使用して、再生は、線速３．５ｍ／ｓｅｃで行っている。対物レンズを駆動し、トラッキングを行うアクチュエーターは、５ｋＨｚ程度の応答速度をもっている。トラッキングには、図１２で説明した処理を行ったプッシュプル信号を用いている。通常、トラッキングに必要な帯域は、ピットやマークの帯域より低く、また、不必要に高い周波数の信号をトラッキングを行うアクチュエータに送ると、アクチュエータドライバーやアクチュエータコイルが発熱し、装置の破損につながる。このことが、ＬＰＦ１８を使用する理由である。
【００２７】
ディスクには、赤色レーザー用に設計されたＲＯＭディスクと、青色レーザー用に設計されたＲＯＭディスクの２種類を用意した。
【００２８】
青色レーザ用ディスク（ディスク「１」）は、トラックピッチ０．４７μｍ、最短ピット長は０．２７μｍで、８／１６変調された記録がなされているピットが、０．６ｍｍ厚の基板上に形成されている。
【００２９】
赤色レーザー用ディスク（ディスク「２」）は、トラックピッチ０．７４μｍ、最短ピット長は０．４μｍで、８／１６変調された記録がなされているピットが、０．６ｍｍ厚の基板上に形成されており、いわゆるＤＶＤである。
【００３０】
本比較例で用いた装置で、プッシュプル法によるトラッキングサーボ信号の生成を行ない、ディスク「１」を再生したところ、正確なトラッキングを行なうことができ、ＲＦ信号を７．５％のジッターで再生することができた。これに対し、同じ装置でディスク「２」を再生しようとしたが、トラッキングを正確に行なうことができず、データを再生することができなかった。
【００３１】
この現象が生じるのは、以下の理由による。図５は、ピット深さやグルーブ深さとプッシュプル信号振幅との関係を、レーザー波長４１０ｎｍ光と６５０ｎｍ光で測定したものである。図５の縦軸は、各波長で測定したプッシュプル信号振幅の最大値で規格化している。プッシュプル信号は、ピット深さやグルーブ深さがλ／４ｎを境に、極性が反転する。ここで、λはレーザー光の波長、ｎはディスク基板の屈折率である。いま、ディスク基板にはｎ＝１．５５のポリカーボネートを用いているので、波長６５０ｎｍで測定すると、ピット深さが１０５ｎｍを境にプッシュプル信号振幅の極性が逆転することになる。また、波長４１０ｎｍで測定すると、ピット深さが６６ｎｍでプッシュプル信号の極性が反転する。
【００３２】
図６は、ピット深さとＲＦ信号振幅の関係を示したものであり、ピット深さλ／４ｎで最も大きなＲＦ信号振幅が得られる。図６の縦軸は、各波長で測定したＲＦ信号振幅の最大値で規格化している。各ディスクのピット深さは各波長に対して調整されており、図５、６に示すように、ディスク「１」では５０ｎｍ程度、ディスク「２」では８５ｎｍ程度になっている。これは、プッシュプル信号とＲＦ信号をバランス良く得るように、各ディスクが設計された結果である。
【００３３】
本比較例の装置では、４１０ｎｍ光を用いているため、４１０ｎｍ用に設計されたディスク「１」において得られるトラッキング信号の極性と、６５０ｎｍ用に設計されたディスク「２」において得られるトラッキングの極性は逆になっている。このことが、本比較例の装置において、ディスク「２」をトラッキングできなかった理由である。即ち、本比較例の装置でディスク「２」を再生しようとしても、ビームスポットはピット列で構成されたトラック上を走査せず、ピット列とピット列の間の、いわゆるトラック間を走査することになる。これでは、ＲＦ信号は出力されず、よって、再生できないこととなる。
【００３４】
＜第２実施形態＞
本実施形態に係る光ディスク装置における、トラッキングサーボ信号を生成するための回路構成は、図１に示した前記第１実施形態と同様である。
【００３５】
本実施形態では、前記第１実施形態の動作に加えて、さらに、赤色レーザー用のパーシャルＲＯＭディスク（ディスク「３」）であることを判別し、ディスク「３」である場合には、マーク領域とピット領域とで、トラッキング制御（プッシュプルトラッキング）の極性を切り換えるようにしている。
【００３６】
図示せぬコントローラーより、トラッキング制御の極性を反転させるか否かがスイッチ１６に入力される。ディスク「３」のマーク領域を再生する際には、コントローラーより“Ｎｏｒｍａｌ”が出力され、スイッチ１６はＲ側に倒れる。このときのトラッキング制御の極性は、図１２に示した従来例の装置と同じであり、これにより、ディスク「３」のマーク領域のトラッキングを正確に行なうことができる。ディスク「３」のピット領域を再生する際には、コントローラーより“Ｉｎｖ”が出力され、スイッチ１６はＬ側に倒れる。このときのトラッキング制御の極性は、図１２に示した従来例の装置と逆になり、これにより、ディスク「３」のピット領域のトラッキングを正確に行なうことができる。
【００３７】
スイッチ１６を切り換えるタイミングは、ＲＦ信号に書かれたアドレス情報より得ることになる。例えば、マーク領域を再生していて、続いてピット領域が現れるような場合を考える。ディスクのフォーマットはあらかじめ判っているので、マーク領域になっている部位と、ピット領域になっている部位のアドレスは、装置からみると既知である。したがって、マーク領域再生中のアドレスを常にチェックしていれば、ピット領域が現れるタイミングを完全に把握することができるので、このタイミングでスイッチ１６を切り換え、トラッキング制御の極性を切り換えることとなる。ピット領域からマーク領域へ移るときのタイミングも、同様にしてアドレス情報から得ることができる。
【００３８】
ディスクの種類を判別することができれば、そのフォーマットがあらかじめ判っているので、ピット領域やマーク領域のアドレスが判る。逆に言うと、上述のようにアドレス情報からトラッキング制御の極性を切り換えるタイミングを得るには、ディスクの種類が予め判っている必要がある。
【００３９】
コントローラーがディスクの種類（ディスク「１」ｏｒディスク「２」ｏｒディスク「３」）を知るには、ユーザー自身がディスク種類をコントローラーに入力できるように、ディスク種類選択スイッチを装置に設けておいても良いし、ディスク再生前に、各々のディスクがもつ特性を利用して、装置自身がディスク種類を自動的に判別するようにしても良い。
【００４０】
装置自身が、ディスク「１」、ディスク「２」、ディスク「３」を自動的に判別する手法の１例を、図３を用いて説明する。
【００４１】
まず、ディスク（光ディスク）が本実施形態の光ディスク装置に挿入されると、装置は、そのピックアップを、ディスク「１」、「２」、「３」ともにピット領域であることが判っている半径位置へ移動する（ステップＳ２１）。次に、コントローラーより“Ｎｏｒｍａｌ”を出力してトラッキングを行い（ステップＳ２２）、ＲＦ信号を再生できるか否かを判定する（ステップＳ２３）。ＲＦ信号を再生できた場合（ステップＳ２３でＹＥＳの場合）、挿入されたディスクは、４１０ｎｍ用に設計されたディスク「１」であると判定する（ステップＳ２４）。
【００４２】
ＲＦ信号を再生できなかった場合（ステップＳ２３でＮＯの場合）、装置は、ディスク「２」においてはピット領域であり、ディスク「３」においてはマーク領域であることが判っている半径位置に、ピックアップを移動する（ステップＳ２５）。次に、コントローラーより“Ｎｏｒｍａｌ”を出力してトラッキングを行い（ステップＳ２６）、ＲＦ信号を再生できるか否かを判定する（ステップＳ２７）。ＲＦ信号を再生できた場合（ステップＳ２７でＹＥＳの場合）、挿入されたディスクは、６５０ｎｍ用に設計されたディスク「３」であると判定する（ステップＳ２８）。
【００４３】
ここでもＲＦ信号を再生できなかった場合（ステップＳ２７でＮＯの場合）、ピックアップはその位置のままで、コントローラーより“Ｉｎｖ”を出力し、トラッキング制御の極性を切り換えてトラッキングを行ない（ステップＳ２９）、ＲＦ信号を再生できるか否かを判定する（ステップＳ３０）。ここで、ＲＦ信号が再生できれば（ステップＳ３０でＹＥＳであるなら）、挿入されたディスクは、６５０ｎｍ用に設計されたディスク「２」であると判定する（ステップＳ３１）。ＲＦ信号を再生できなければ（ステップＳ３０でＮＯであるなら）、挿入されたディスクは、ディスク「１」でもディスク「２」でもディスク「３」でもない、第４のディスクであると判別する（ステップＳ３２）。
【００４４】
ディスク「１」、ディスク「２」もしくはディスク「３」と判別された場合は、それぞれに適する極性でトラッキングを行えばよく、特にディスク「３」と判別された場合は、そのアドレス情報から、トラッキング極性を切り換えるタイミングを得れば良い。ディスク「１」、「２」、「３」以外の第４のディスクと判別された場合は、必要に応じて、ディスクを装置から排出したり、再生不可能なディスクである旨を、装置に備えられたディスプレイに表示したり、警告音を発することで、ユーザーに伝えれば良い。
【００４５】
続いて、ディスクの判別をせずとも、極性切換えのタイミングを得ることができる方法を、以下に説明する。
【００４６】
図７は、ピット深さとタンジェンシャルプッシュプル信号振幅の関係を波長４１０ｎｍの光で測定したものである。タンジェンシャルプッシュプル（ＴＰＰ）信号振幅は、ピット深さがλ／８ｎである３３ｎｍ付近で最大となり、図７の縦軸はこのときの値を１として規格化して示している。
【００４７】
ＴＰＰ信号は、ピット深さλ／４ｎである６５ｎｍ付近を境にして、その極性が反転するが、それを表すために、図７では、ピット深さ６５ｎｍ以上の領域でＴＰＰの値を負にとっている。
【００４８】
次に、ＴＰＰ信号について図８と図９で説明する。図８は、その反射光が４分割受光素子ａ、ｂ、ｃ、ｄで構成されるディテクター２に導かれている様子を示している。ＴＰＰ信号は、この４分割受光素子ａ、ｂ、ｃ、ｄの出力を用いて、ＴＰＰ＝（ａ＋ｄ）−（ｂ＋ｃ）で示される演算式によって求められる。本実施形態では、マーク領域とピット領域とを自動識別する際には、図８に示す加算回路や差分回路が付加されることになる。
【００４９】
図９は、深さ５０ｎｍのピットを、図８の構成を備えた本実施形態の装置で再生しているときの、ＴＰＰ信号を表わしたものである。ピットの前エッジと後エッジで、パルス状の信号が得られる。前エッジでは正方向（上方向）にパルスが生じ、後エッジでは負方向（下方向）にパルスが生じる。
【００５０】
ここで、図７から、ディスク「３」のピットを、図８の構成を備えた本実施形態の装置で再生すると、負の極性をもつＴＰＰ信号が得られることがわかる。負の極性とは、ピットの前エッジで負方向にパルスが生じ、後エッジで正方向にパルスが生じることを意味する。
【００５１】
一方、マークでも、その前エッジと後エッジでＴＰＰ信号が生じるが、マークは深さを持たないため、その極性は波長によらず常に正極性で一定している。
【００５２】
図１０の（ａ）は、マーク領域とピット領域からなるディスク「３」を表わしたものであり、図１０の（ｂ）は、図８の構成を備えた本実施形態の装置で、ディスク「３」をトラッキングする際に得られるＴＰＰ信号を示している。マーク領域とピット領域ではＴＰＰ信号の極性が異なっている。これを利用して、マーク領域とピット領域を判別し、トラッキング制御の極性を切り換えるわけである。
【００５３】
図１１を用いて、ＴＰＰ信号の極性判別の例を説明する。図１１の（ａ）は、マーク領域のあとにピット領域が来る場合を示している。図１１の（ｂ）は、得られるＴＰＰ信号である。ここで、ある正の基準値と負の基準値を設け、図１１の（ｃ）、（ｄ）に示すように、上記正の基準値を超えるパルスが観測された場合には＋１が、上記負の基準値を超えるパルスが観測された場合には−１が出力されるようにしておく。ここで出力された＋１と−１を順に加えた結果が、図１１の（ｅ）である。マーク部では＋１が得られ、ピット部では−１が得られている。これを利用することで、マーク領域とピット領域の判別が可能となり、判別結果が、図１におけるコントローラへ送られる。コントローラーは判別結果を受けて、トラッキング制御の極性を切り換える。これにより、ディスク判別をせずとも、トラッキング制御の極性を切り換えるタイミングを得ることが可能となる。
【００５４】
なお、上述した第１、第２実施形態では、４素子から得られるプッシュプル信号よりトラッキング信号を生成する装置について説明を行なったが、図４に示すように、２素子から得られるプッシュプル信号よりトラッキング信号を生成する装置についても、同様の制御を行なうことで、青色レーザーを搭載した光ディスク装置による、赤色レーザー用に設計されたディスクの再生が可能となる。
【００５５】
＜比較例２＞
本比較例で用いた光ディスク再生装置は、比較例１で用いた装置と同じものである。用いるディスクは、６５０ｎｍ波長用に設計されたパーシャルＲＯＭディスク（ディスク「３」）であり、ピットで構成されたＲＯＭ領域と、グルーブで構成され、ユーザーが情報をマークで記録することが可能な記録可能領域とを有している。このディスク「３」は、すでに、６５０ｎｍレーザーを搭載した別の記録装置により、記録がなされたものとなっており、記録領域は、ピット領域とマーク領域とで構成されている。なお、このディスク「３」に設けられたピットは、ディスク「２」のピットと同じ深さになっている。
【００５６】
この記録済みのディスク「３」は、トラックピッチ０．７４μｍ、最短ピット長と最短マーク長はともに０．４μｍで、ピットもマークも８／１６変調されており、０．６ｍｍ厚の基板上にこれらが形成されている。記録層には、相変化材料であるＩｎＡｇＳｂＴｅが用いられている。この材料は、結晶状態と非晶質状態とで反射率が異なるため、これを利用して、マークが形成され、情報が記録されている。
【００５７】
本比較例で用いた装置において、図１２に示すように、プッシュプル信号によりトラッキングを行ない、ディスク「３」を再生したところ、マーク領域では、正確なトラッキングを行なうことができ、ＲＦ信号を７％のジッターで再生することができた。これに対し、ピット領域では、正確なトラッキングを行なうことができず、ピットで記録されたデータを再生することができなかった。
【００５８】
ピット領域でトラッキングできないのは、上述の比較例１で述べた理由と同じである。一方、マーク領域はグルーブで構成されており、グルーブ深さは、６５０ｎｍレーザー用に調整されている。その深さは、図５に示すように、３０ｎｍ程度である。この深さでは、波長４１０ｎｍの場合と、波長６５０ｎｍの場合とで、同じ極性のプッシュプル信号が得られる。このため、本比較例で用いた装置において、マーク領域をトラッキングすることができたわけである。
【００５９】
【発明の効果】
本発明によれば、ピットを予め形成して情報が記録されている領域と、グルーブに情報をマークの形で記録する領域とが、１本のトラックをなしている光ディスクに光ビームを照射し、その反射光に基づき光ビームのトラッキング制御を行う構成において、ピットおよびマークから得られるタンジェンシャルプッシュプル信号に基づいて光ビームが照射されている領域を判別し、それに応じてトラッキング制御の極性を反転させ、上記ピット領域とマーク領域とを途切れることなく連続してトラッキングすることを特徴としている。よって、ディスクの判別を自動的に行い、トラッキング制御の極性反転のタイミングを自動的に検知することで、パーシャルＲＯＭディスクのように記録領域をもつ光ディスクを、適正に連続再生することができる。
【図面の簡単な説明】
【図１】本発明の実施形態に係る光ディスク装置における、トラッキングサーボ信号を生成するための回路構成を示すブロック図である。
【図２】本発明の実施形態による、ディスク判別の処理の流れの１例を示すローチャートである。
【図３】本発明の実施形態による、ディスク判別の処理の流れの他の１例を示すフローチャートである。
【図４】本発明の実施形態に係る光ディスク装置における、トラッキングサーボ信号を生成するための他の回路構成を示すブロック図である。
【図５】ピット深さ、グルーブ深さとプッシュプル信号振幅との関係を表わす説明図である。
【図６】ピット深さとＲＦ信号振幅との関係を表わす説明図である。
【図７】ピット深さとタンジェンシャルプッシュプル信号振幅との関係を表わす説明図である。
【図８】本発明の実施形態に係る光ディスク装置における、タンジェンシャルプッシュプル信号を得るための回路構成を示すブロック図である。
【図９】ピット列を再生した際のタンジェンシャルプッシュプル信号を示す説明図である。
【図１０】マーク領域とピット領域を持つディスクを再生した際のタンジェンシャルプッシュプル信号を示す説明図である。
【図１１】本発明の実施形態に係る光ディスク装置における、タンジェンシャルプッシュプル信号からマーク領域とピット領域を判別する手法を示す説明図である。
【図１２】４素子を用いた、従来のプッシュプル法によるトラッキングサーボ信号生成回路のブロック図である。
【図１３】２素子を用いた、従来のプッシュプル法によるトラッキングサーボ信号生成回路のブロック図である。
【符号の説明】
１  光ビーム
２  フォトディテクタ
３−１、３−２  加算回路
１６  スイッチ
１７  差分回路
１８  ＬＰＦ（ローパスフィルター）
【図１】
0003550538.tif 000002
【図２】
0003550538.tif 000003
【図３】
0003550538.tif 000004
【図４】
0003550538.tif 000005
【図５】
0003550538.tif 000006
【図６】
0003550538.tif 000007
【図７】
0003550538.tif 000008
【図８】
0003550538.tif 000009
【図９】
0003550538.tif 000010
【図１０】
0003550538.tif 000011
【図１１】
0003550538.tif 000012
【図１２】
0003550538.tif 000013
【図１３】
0003550538.tif 000014